(57)【要約】呼吸保護装置は、フィルタ・ハウス室（４０）を持つフィルタ・ハウス（８）および多くの貫通穴（４７、４７ａ）を有する第１の壁部（４５）を有するフィルタ・ハウス本体（１）、前記第１の壁部内の前記フィルタ・ハウス室における少なくとも１つのフィルタ（２）、および、ユーザの口に導入され、かつ、保持されるように配置され、前記フィルタ・ハウス（８）における第２の壁部（４６）の開口部（５３）とユーザの口に導入される端の開口部（５４）との間で空気の通り道を有するマウスピース（９）を備える。際立った特徴は、前記フィルタ・ハウス（８）は、第１端部（５）、第２端部（７）、および、前記フィルタ・ハウスの前記端の間で延長する前記第１および第２の壁部（４５、４６）を有し、前記フィルタ・ハウスは、前記マウスピースが前記ユーザの口に挿入される場合、伸張され、かつ、前記ユーザの口の前記端の間の線に並列に延長し、前記フィルタ・ハウスの前記第１の壁部は、少なくとも１つの領域において複数の貫通穴（４７、４７ａ）を備え、それは、前記領域または前記貫通穴が配置される領域の少なくとも前記内部で前記ハウスの長手方向において少なくとも本質的にまっすぐに延長し、前記フィルタは、前記第２の壁部に沿って前記フィルタ・ハウス室に配置され、この壁部の前記開口部を被い、吸入で閉鎖され、かつ、呼気で開けられる逆止め弁（３、３３）は、少なくとも前記第１端部に配置され、呼気のための少なくとも１つの通路（４０）は、前記フィルタ・ハウスの前記第１の壁における開口部と前記フィルタ・ハウスの前記第１端部の前記逆止め弁との間で延長することである。
2006505326.tif 000002
【特許請求の範囲】
【請求項１】
フィルタ・ハウス室（４０）を持つフィルタ・ハウス（８）および多くの貫通穴（４７、４７ａ）を有する第１の壁部（４５）を有するフィルタ・ハウス本体（１）、前記第１の壁部内の前記フィルタ・ハウス室における少なくとも１つのフィルタ（２）、および、ユーザの口に導入され、かつ、保持されるように配置され、前記フィルタ・ハウス（８）における第２の壁部（４６）の開口部（５３）とユーザの口に導入される端の開口部（５４）との間で空気の通り道を有するマウスピース（９）を備えた呼吸保護装置であって、
前記フィルタ・ハウス（８）は、第１端部（５）、第２端部（７）、および、前記フィルタ・ハウスの前記端の間で延長する前記第１および第２の壁部（４５、４６）を有し、
前記フィルタ・ハウスは、前記マウスピースが前記ユーザの口に挿入される場合、伸張され、かつ、前記ユーザの口の前記端の間の線に並列に延長し、
前記フィルタ・ハウスの前記第１の壁部は、少なくとも１つの領域において複数の貫通穴（４７、４７ａ）を備え、それは、前記領域または前記貫通穴が配置される領域の少なくとも前記内部で前記ハウスの長手方向において少なくとも本質的にまっすぐに延長し、
前記フィルタは、前記第２の壁部に沿って前記フィルタ・ハウス室に配置され、この壁部の前記開口部を被い、
吸入で閉鎖され、かつ、呼気で開けられる逆止め弁（３、３３）は、少なくとも前記第１端部に配置され、
呼気のための少なくとも１つの通路（４０）は、前記フィルタ・ハウスの前記第１の壁における開口部と前記フィルタ・ハウスの前記第１端部の前記逆止め弁との間で延長することにおいて特徴づけられる呼吸保護装置。
【請求項２】
請求項１に記載の呼吸保護装置であって、前記フィルタ・ハウスの第１の壁部は、前記フィルタ・ハウスの前記長手方向において本質的にまっすぐであるが、アーチ形であるか、曲げられる、または、前記長手方向に対して垂直である平面に傾けられることにおいて特徴づけられる呼吸保護装置。
【請求項３】
請求項１または２に記載の呼吸保護装置であって、前記第１の壁部の前記内部は、前記第２の壁部における開口部の一方の側の第１の位置から、前記第１の部の前記内部の周りを前記開口部の前記他方の側の第２の位置に、前記フィルタ・ハウス室の前記長さの少なくとも前記主要部分に沿って、かつ、少なくとも前記主要部分の外周の回りに延長する前記フィルタ・ハウス室の円柱状の部分を定義することにおいて特徴づけられる呼吸保護装置。
【請求項４】
請求項１から３のいずれか１つに記載の呼吸保護装置であって、前記第１の壁部の前記内周の前記長さは、この端部の前記開口部と前記端との間の前記領域における前記壁部の前記外周より長いことにおいて特徴づけられる呼吸保護装置。
【請求項５】
請求項２から４のいずれか１つに記載の呼吸保護装置であって、前記第１の壁部の前記内部は、本質的に円形の円柱であることにおいて特徴づけられる呼吸保護装置。
【請求項６】
請求項１から５のいずれか１つに記載の呼吸保護装置であって、前記フィルタ（２）の取付け手段（４１、４２）は、前記フィルタ・ハウスの前記内部に配置されることにおいて特徴づけられる呼吸保護装置。
【請求項７】
請求項６に記載の呼吸保護装置であって、前記取付け手段は、前記第２の壁部（４６）の前記開口部（５３）の両側に、および、好ましくは近くに前記第１および第２の位置で配置されることにおいて特徴づけられる呼吸保護装置。
【請求項８】
請求項７に記載の呼吸保護装置であって、前記フィルタの前記取付け手段は、前記第１の壁部の前記全体の長さに沿って、前記フィルタ・ハウスの前記長手方向において延長する前記フィルタ・ハウス壁に結合されるレールとして設計され、かつ、この壁部の長手方向の境界を形成し、同時に、前記フィルタの長手方向の端（１０、１１）に対して封止を形成することにおいて特徴づけられる呼吸保護装置。
【請求項９】
請求項８に記載の呼吸保護装置であって、前記フィルタの長手縁部は、前記取付け手段の溝（４３）に配置されることにおいて特徴づけられる呼吸保護装置。
【請求項１０】
請求項１から９のいずれか１つに記載の呼吸保護装置であって、前記フィルタ・ハウス室に取り付けられる場合、前記フィルタは前記フィルタ・ハウスの前記第１の壁部（４５）の前記内部の輪郭に本質的に続く外側の輪郭を有することにおいて特徴づけられる呼吸保護装置。
【請求項１１】
請求項１０に記載の呼吸保護装置であって、前記フィルタは、前記フィルタ・ハウスの前記第１の壁部の前記内部を圧迫する、または、ほとんど圧迫するため前記取付け手段の間で固定されることにおいて特徴づけられる呼吸保護装置。
【請求項１２】
請求項１１に記載の呼吸保護装置であって、前記フィルタは、フィルタ原料および柔軟性を持ち、かつ、比較的硬い支持層を含むフィルタ層からなり、支持層が前記フィルタ・ハウス壁と前記フィルタ層との間で第１の距離手段を形成する互いに近くに配置された複数の開口部（２０、２１）を有することにおいて特徴づけられる呼吸保護装置。
【請求項１３】
請求項１２に記載の呼吸保護装置であって、前記濾過室の前記第１の壁部は、前記フィルタ・ハウス壁と前記フィルタ層との間で第２の距離手段を形成する複数の低い突起を備えたその内部にあることにおいて特徴づけられる呼吸保護装置。
【請求項１４】
請求項１３に記載の呼吸保護装置であって、前記支持層の各々の開口部は、空気が前記フィルタ層に吸い込まれる前に、それにより空気の分配が促進されることができるように前記支持層における他の開口部と通信することにおいて特徴づけられる呼吸保護装置。
【請求項１５】
請求項１３および１４のいずれか１つに記載の呼吸保護装置であって、前記支持層（１５）は、上方および下方の交差した撚り糸（１８、１９）で形成された比較的粗いメッシュのプラスチックネットとして設計されることにおいて特徴づけられる呼吸保護装置。
【請求項１６】
請求項１から１５のいずれか１つに記載の呼吸保護装置であって、凹部（３０）は、前記フィルタ・ハウスの前記外側において前記第１端部で提供され、前記逆止め弁は、この凹部において凹部を作られ、かつ、および固定される
ことにおいて特徴づけられる呼吸保護装置。
【請求項１７】
請求項１から１６のいずれか１つに記載の呼吸保護装置であって、端壁部（３８）は、前記フィルタの端壁部の一端端（１２）がそれに対して支持する前記フィルタ・ハウスの前記内部の辺り一帯における前記フィルタ・ハウスの前記第１端部で提供されることにおいて特徴づけられる呼吸保護装置。
【請求項１８】
請求項１６または１７に記載の呼吸保護装置であって、前記逆止め弁に含まれる膜（３）のための座部（３３）は、前記第１端部の前記凹部（３０）の下部において提供されることにおいて特徴づけられる呼吸保護装置。
【請求項１９】
請求項１から１８のいずれか１つに記載の呼吸保護装置であって、着脱可能なカバー（４）は、前記フィルタ・ハウスの前記第２端部（７）で開口部（６）を被い、前記開口部（６）経由の前記フィルタ（２）は、前記フィルタ・ハウス室（４０）に挿入されることができ、前記カバーの前記内部は、前記開口部上に戻された後、前記フィルタの第２の端壁（１３）を圧迫することにおいて特徴づけられる呼吸保護装置。
【発明の詳細な説明】
【技術分野】
【０００１】
本発明は、フィルタ・ハウス室および多くの貫通穴を有する第１の内壁部を持つフィルタ・ハウスを具備するフィルタ・ハウス本体、前記第１の内壁部の内部のフィルタ・ハウス室における少なくとも１つのフィルタ、および、ユーザの口に導入され、かつ、保持され、フィルタ・ハウスにおける第２の内壁部の開口部とユーザの口に導入される開口部の端部との間に気道を有するように配置されるマウスピースを備えた呼吸保護装置に関する。
【背景技術】
【０００２】
今日使用される呼吸保護装置は、非常に高度であるが、従来の防毒マスク、または、口および鼻を被うより単純な呼吸保護装置である。防毒マスクは、高度な空気浄化を必要とする極めて危険な環境において有用である特定の領域を有する。口および鼻を被う単純な従来の呼吸保護装置は、空気浄化が必要な環境において、このような装置は不快であり、また多くの場合、不十分な浄化能力および他の欠点を有するにもかかわらず、他に何も無いために広く使われている。
上の序文において言及されたタイプの呼吸保護装置もまた、提案されてきた。このような呼吸保護装置の実施例は、ＷＯ ９２／２１４０８、ＥＰ  ０  ６９５  ５６１Ａ１、ＵＳ−Ａ  ５、７７１、８８５、ＵＳ−Ａ  ５、９５７、１３１、および、ＤＥ−ＯＳ２  １１５  ７１５において記載されていて、それらを参照にすることができる。しかしながら、これらの公開に示されるすべての保護装置は、欠陥および／または欠点を有し、出願人が認識するほど、広い使用に及ばなかった。
【発明の開示】
【０００３】
上記の背景を与えられ、本発明は、鼻クリップか、鼻栓または類似したものと組み合わせ、多くの作業環境において完全に満足な保護を提供し、多くの実際的な利点さらに有する上の序文において言及されるタイプの呼吸保護装置を提供することを意図する。より具体的には、本発明は、以下の利点および／または条件の大部分を満たす呼吸保護装置を提供することを意図する：
●  良い精製効果
●  吸入および呼気の両方における小さい呼吸抵抗
●  小型（ポケットサイズ）
●  低重量
●  ユーザ視野に干渉がない；いかなる突設部分も有しない
●  口ひげまたはあごひげがある人により使用可能である
●  標準のフィルタが使用可能である
●  合理的に生産可能である
●  フィルタは、交換または洗浄のために挿入および除去するのが容易である
●  空気浄化のために利用できるスペースの利用の大きい程度
●  使用環境の条件に適応する異なるフィルタ品位で使用可能である
●  フィルタの挿入および除去のための特別なカセットが必要でない
●  少ない変更態様により、例えば呼気空中から微生物を濾過するため、同様な基本設計がクリーンな空気の呼気にもまた使用可能である
前述の特性のすべて、または、少なくとも大部分は、以下において特徴づけられる序文で言及されたタイプの呼吸保護装置によって達成されることができる。
●  フィルタ・ハウスが第１端部、第２端部を有し、前記第１の内壁部は、フィルタ・ハウスの前記端部の間で延長する
●  フィルタ・ハウスは、マウスピースがユーザの口に挿入される場合、引き延ばされ、かつ、ユーザの口の角の間の線に並列して延長する
●  フィルタ・ハウスの前記第１の内壁部は、少なくとも１つの領域における複数の貫通穴を備え、かつ、少なくとも領域、または、前記貫通穴が配置される領域における少なくとも内側におけるハウスの長手方向において少なくとも本質的にまっすぐに延長する
●  フィルタは、前記第２の内壁部に沿ってフィルタ・ハウス室に配置され、この内壁部の開口部を被う
●  吸入で閉じ、かつ、呼気で開く逆止め弁は、少なくとも前記第１端部に配置される
呼気のための少なくとも１つの通路は、フィルタ・ハウスの第１の内壁の開口部とフィルタ・ハウスの第１端部の前記逆止め弁との間で延長する
本発明の追加的な特徴および態様は、請求項および以下の発明の詳細な説明から明らかである。
【図面の簡単な説明】
【０００４】
発明の詳細な説明において同封の図面で参照される。
【図１】発明の呼吸保護装置において使用されることができるタイプのフィルタの平面図
【図２】図１の線II−IIに沿ったフィルタの側面図
【図３】本発明の好ましい実施例による呼吸保護装置の部品である異なる構成要素を示す遠近法による分解立体図
【図４】図６の線ＩＶ−ＩＶに沿った呼吸保護装置の側面図
【図５】図３の線Ｖ−Ｖに沿ったフィルタ・ハウスの端面図
【図６】後部マウスピース開口部への方向における組み立てられた呼吸保護装置の側面図
【図７】代わりに図６の断面ＶＩＩ−ＶＩＩ
【図８】より大きいスケールでの図７の囲まれた部分発明の詳細な説明本発明の好ましい実施例によれば、呼吸保護装置は、フィルタ・ハウス８を有するフィルタ・ハウス本体１、フィルタ・ハウス８に導入されることができるフィルタ２、バルブ本体３、および、カバー４で構成される。バルブ本体３は、フィルタ・ハウス８の第１端部５で取り付けられるように配置される。フィルタ２は、フィルタ・ハウスの第２端部７の開口部６経由で、フィルタ・ハウス８に導入されることができ、フィルタ２が導かれた場合、カバー４は開口部６を封止することを目的とする。図１および図２は、フィルタ・ハウス８に導入される前の初期位置におけるフィルタ２を示す。この形状において、それは、９０ｍｍの長さ、６５ｍｍの幅および約５ｍｍの厚みを有する小さい矩形のシートから構成されている。（用語‘プレート’または‘布’は、また、このタイプの目的のために選択されることができる）一対の長手方向側の端部は１０、１１と表示され、一対の対向する端部は、それぞれ１２、１３と表示される。シートは、商品名テクノスタット２００ｇｒ／ｍ２で、英国のHullingsworth & Vose Filtration社により製造される多層濾布のタイプのより大きいシートから打ち出され、または、切り出された。好ましい実施例によって使用されるフィルタ２は、したがって、掃除機その他において工業用を前提とした固定フィルタで広く使われている標準のタイプの濾布である。この濾布、および、それに関してフィルタ２もまた、比較的堅固であるが柔軟性をもつ外端、粗いプラスチックネットの軟性支持層１５、その内部における柔軟でかつ繊維の混合合成材料のフィルタ原料１６、および、緩まって、ユーザの口に吸い込まれないように、フィルタ原料１６の毛羽立ちを防ぐ吸入側面の最も奥の部分における引き伸ばしたポリプロピレンの非常に薄いスクリーン布１７から構成される。ネット型に成形された支持層１５は、互いの上に配置されるが、共に編まれないプラスチックの細い交差した撚り糸から作られる。より具体的には、ネット型に成形された支持層１５は、上部の撚り糸１８および下部の撚り糸１９を有し、後者は、実際のフィルタ層を形成するフィルタ原料１６に対してそれを支持する。このことは、隣接した外側の撚り糸１８の各々の対の間のすべての開口部２０が互いに直接接していることをも意味する。そして、下部の撚り糸１９の各々の対の間の本質的にすべての開口部２１もまた互いに連通していて、そのことは、フィルタ原料／濾過層１６に吸い込まれる空気の分配に意味のあることである。商品名テクノスタット２００ｇｒ／ｍ２を有する記載されたタイプのフィルタは、例えば、埃っぽい建設現場において、または、例えばイヌ、ネコ、ウシの毛髪または花粉のアレルギーの悩みを有する人によって、本発明の呼吸保護装置が使用される場合、適切である。セメント粉、石および／またはカーボンの粉末を含む環境においては、テクノスタット２００ｇｒ／ｍ２のそれより微細なフィルタ原料が、使用されるべきである。その場合には、フィルタは、しかしながら記載されたものと同じ設計を有することができ、前述の企業または他の製造業者によって製造される。原則として、さらにより繊細なフィルタ��料は、本発明による呼吸保護装置の一部であるフィルタにおいて使用されることができる。例えばフィルタ原料は、活性炭、イオン交換体材料、または、煙および他の煙霧の溶着と同様、ガス状または蒸気の汚染物質の吸尽のための他の吸収剤または吸着剤を含む。フィルタ・ハウス本体１は、前記フィルタ・ハウス８およびマウスピース・ユニット９からなる成形されたプラスチックの一体化された単一体である。フィルタ・ハウス８は、カバー４により被われることができる開口部６と共に、前記第１端部５と前記第２端部７との間で延長する伸張した円形の円筒状管として成形される。本実施例において、カバー４を含むフィルタ・ハウス８は、１００ｍｍの全長、３３ｍｍの外径、および、約２ｍｍの壁厚を有する。中央の円筒状凹部３０は、図４および図６におけるフィルタ・ハウス８の第１端部５に配置される。凹部３０の底部には、呼気のための４つの開口部３１があり、４つの放射型円材３２の間に円形の領域として成形される。凹部３０の外周の底部周辺にもまた、環状棚板３３がある。円材３２および環状棚板３３は、共にゴム膜からなるバルブ本体３のための座部を形成する。ゴム膜の中央にはピン３４があり、ピンの終端には、前記凹部にバルブ本体３を固定するため、凹部３０の底部において中央の孔３６に嵌められることができるノブ３５がある。このバルブ設計は、例えば潜水服において使用される標準のタイプである。吸入において、この逆止め弁は、凹部３０の直径に対応する直径を有し、棚板３３に対して封止し、さらに円材３２に対して載置される膜３によって封止される。フィルタ・ハウス室４０は、フィルタ・ハウス８に配置される。フィルタ・ハウス８の内部には、フィルタ・ハウス内壁から放射状に内部に最初に延長し、それから互いに反対方向における平角で離れて曲がるように２つのフィン４１、４２がある。フィン４１と４２との間の弧の距離は、９０°の円形の領域角度からなる。フィン４１、４２は、フィルタ・ハウス室４０の全体の長さに沿って、フィルタ・ハウス８の第１端部５における前記環状底部３８からハウスの第２端部７の開口部６まで、延長する。フィン４１、４２は、フィルタ・ハウス上の壁と協動して、曲げられたフィン４１、４２により形成された溝４３において固定されることができるフィルタ２のための取付け手段を構成するレールを形成する。これらのフィン／レール／取付け手段４１、４２もまた、第１の壁部４５が第１の取付け手段４１から前に延長するフィルタ・ハウス８における第１の正面の壁部４５と第２の取付け手段４２へのフィルタ・ハウス８周辺との間で、境界を形成し、したがって、２７０°の長い円弧、および、９０°の前記円弧からなる第２の後壁部４６を形成する。フィルタ２が取り付けられる場合、それは外へ回転される支持層１５と共に図３に示される近似の形状に手で成形され、そこでフィルタ２が開口部６を通りフィルタ・ハウス８に挿入された後、それによって、フィルタ２の長手方向の端１１、１２は、取付け手段４１、４２の溝４３に挿入される。その後でフィルタ２は、溝４３において摺動している端１１、１２と共にフィルタ・ハウス８を通って、フィルタ２の第１の端縁部１２がフィルタ・ハウ��の第１端部５の環状底部３８に当接するまで、ずっと押される。それから、フィルタ２の第２の端縁部１３は、フィルタ・ハウスの第２端部７と同一平面上にある、または、開口部６から数ミリメートル突設する。カバー４が適用される場合、それはしたがって、長手方向の端１０、１１が取付け手段４１、４２の溝４３の底部を圧迫するのと同時にフィルタの端１３を圧迫する。第１の壁部４５において、複数の孔４７は、吸い込まれる空気のために提供され、前記第１の壁部４５のフィルタ・ハウス室４０に配置されるフィルタ２で浄化される。フィルタ・ハウス８の内部のフィルタ・ハウス壁上もまた、多くの長手方向の突起４８が前記第１の壁部４５上にある。それらは、フィルタ・ハウスの全体の長さに沿って延長し、総計で５つある。図３および６に示されているように、フィルタ・ハウス壁の孔４７は、長手方向の列に配列される。長手方向の突起４８は、これらの列の２つ毎の間で配置される。突起４８の高さは約０．３ｍｍであり、それはフィルタ・ハウス壁とフィルタ２との間の狭い切れ込み４９を形成するのに十分である。スペース４９において、フィルタ２を通って空気がさらに中に吸い込まれる前に、開口部４７経由で吸い込まれた空気は分配される。フィルタの支持層１５は、その上記に記載されている設計によってまた、フィルタ原料／濾過層１６の空気の吸入側面における空気の効果的分配に関与することができる。取付け手段４１、４２で固定されるフィルタ２は、支持層１５の弾力性によって、フィルタ・ハウス壁に対し、また、先験的に第１の壁部４５の内部に成形した全体の円弧の周りの長手方向の突起４８に対して押圧される。フィルタの長手方向の端１０、１１は、取付け手段４１、４２の底部４３に対して押圧され、端縁部１２、１３がフィルタ・ハウスの第１の端部５において環状端壁３８に対して、および、第２の端部７においてカバー４の内部に対してそれぞれ封止されるような方法で封止される。マウスピース・ユニット９は、フィルタ・ハウスの第２の壁部４６において、この壁部上の中央でフィルタ・ハウス８に結合されるので、フィルタ・ハウス８は、マウスピース・ユニットから右に対してと同等に左に離れて突設する。実施例によれば、マウスピース・ユニット９は、フィルタ・ハウス８のための長手方向の対称面と一致する対称面５１を有する。マウスピース９は、フィルタ・ハウスの第２の壁部４６の前部開口部５３から後部の伸張した開口部５４までの導管を形成する管状部５２を備える。図４から明らかなように、フィルタ・ハウス壁の開口部５３は、いくぶんより広い。管状部５２は、対称面５１において延長される。長手方向の側壁５６は、平坦かつ並列である。その一方で、図３のように端壁５７は丸みがある。フィルタ・ハウス８への接続５８は、管状部５２のすべての壁まで緩やかな丸みを持つ。フィルタ・ハウス８は、開口部５３から両方向においておよそ同じ長さ突設している。マウスピース９は、管状部５２の後部端から、後方および外側へ斜めに延長する一対の翼６０を有する。これらの翼は、ユーザの口に挿入されておよびそれから口腔の中で頬を圧迫する。管状部の伸張した延長部のおかげで、唇が管状部、および、平面壁５６��後部端における開口部５４の各々の側面上の一対のアーチ型のフランジ６１を握持するのと同時に、管状部の丸みのある端壁５７はさらに口の端を圧迫する。さらに、管状部５２を有するマウスピースは、唇がマウスピース９に最も近くに配置される開口部４７ａに近いが被わないようにフィルタ・ハウス８への丸みのある中間部５８を圧迫するような長さを有する。マウスピース９の管状部５２の記載されたような延長された形状によって、丸みのある端壁５２は、フィルタ・ハウス本体１の全体が所望の方法で正しい位置に置かれるように交替で導いてユーザの口端に位置させられる。すなわち、その結果、フィルタ・ハウス８はユーザの口の前で水平に横方向に延長し、フィルタ・ハウス部分は、口の端を過ぎて、両方向に横に突設している。口から前方の方向において、フィルタ・ハウス１およびしたがって呼吸保護装置の全体は、フィルタ・ハウスの直径９とほぼ一致する距離、すなわち、実施例によるとかろうじて３５ｍｍ未満を突設するのみであり、それは、多くの作業状況において考慮すべき利点である。記載されている呼吸保護装置は、実施例によると、小さいバッグに保持され、例えばベルト、あるいは、ユーザの作業着のポケットにさえも取り付けられることができる形状および寸法を有する。呼吸保護装置が使用される場合、上述のように、マウスピース９はユーザの口に挿入され、一方で、呼吸保護装置が使用されない場合、例えばバルブ・ハウス壁の孔７０に取り付けられることができる鼻クリップのような従来の方法で鼻孔が封止される。ユーザが吸い込む場合、バルブ・ハウス８の第１端部５の逆止め弁は、凹部３０における環状棚板３３に対して封止している膜３により封止され、同時に、円材３２に対してもそれが向けられる。空気は、開口部４７、４７ａ経由で吸い込まれ、空気がフィルタ原料／濾過層１６を通じて、フィルタ・ハウス室４０のフィルタ２内部の空間までさらに吸い込まれ続ける前に、第１の壁部４５のフィルタ・ハウス壁の内部の上の切れ込み４９において分配される。そこから空気は、開口部５３、管状部５２、および、マウスピースの後部開口部５４を通じ、ユーザへ継続する。呼吸フィルタによって生じる呼吸抵抗は、特に呼吸保護装置の小さい寸法に関連して、小さい。これは、呼吸保護装置の設計および形状の最適な利用により完全に使用されることができる比較的大きい表面を有するフィルタ２のためである。吸い込まれる空気のフィルタ表面上における効果的な分配もまた、低い呼吸抵抗を促進する。呼気における呼吸保護装置の呼吸抵抗は、実質的に無視してよい。管状部５２、および、フィルタ２内部のフィルタ・ハウス室４０で構成された空気チャネルは、非常に広い；膜３は極めて低い超過圧で開き、さらにフィルタ・ハウスの第１端部５の排気開口部３１は、いかなる目立つ抵抗も引き起こさないように十分広い。呼吸保護装置の設計が記載された実施例に制限されず、同封された請求項の範囲内で変化することができると理解される。したがって、フィルタ・ハウス８は、例えば円形の円筒状管であるより、直角横断面を有する管のような他の形状であることができる。しかしながら、円形の円柱状の形状は理想的である。接続管状部分５２��下方に曲げることもまた、考えられるので、フィルタ・ハウス１は、口の開口部のいくぶん下の下部レバーに配置される。これはしかしながら、呼吸保護装置の全体の容積を増加させ、それは欠点である。さらに、フィルタ・ハウス壁の開口部４７、４７ａは、入口開口部の総面積がそれほど減少しないならば、少しも呼吸保護装置の機能を弱めずに示されたもの以外の他の形状およびサイズをもちろん与えられることができる。フィルタ２が記載されたもの以外のタイプであることができることもまた、言及される。柔軟性を持ち、平面部分から形成されることが可能である代わりに、それはしたがって、硬く、そして、フィルタ原料の特定のタイプにおいて使用されるおそらく必要条件であることができる特定の場合におけるフィルタ・ハウス室の機能的な位置におけるような形状を有することができる。原則として、フィルタ２は、実施例がその例を構成するいかなるタイプのカセットまたは類似したものを避ける代わりに、余分な部品を使用する必要はないという明白な利点である場合であっても、カセットにおいて配置されることができる。他の変形例はフィルタを交換なしで作成するので、それが消費されたとみなされた場合、呼吸保護装置全体は交換される。これによって、製造プロセスの間、フィルタはフィルタ・ハウスにおいて好ましくは（例えば成形と関連して）一体化される。
【図１】
2006505326.tif 000003
【図２】
2006505326.tif 000004
【図５】
2006505326.tif 000005
【図３】
2006505326.tif 000006
【図４】
2006505326.tif 000007
【図６】
2006505326.tif 000008
2006505326.tif 000009
【国際調査報告】
2006505326.tif 000010
2006505326.tif 000011